【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
対向する第１面および第２面を有する可撓性の板部材と、
前記板部材の第１面に設けられ、前記第１面において一方向に延在する枠部材と、
前記板部材の第２面側に配置された可撓性の表示体と
を備えた表示装置。
【請求項２】
前記枠部材の延在方向とは異なる方向に伸設された補強構造を備えた
請求項１記載の表示装置。
【請求項３】
前記補強構造は、前記枠部材の延在方向の両端部に配置されている
請求項２記載の表示装置。
【請求項４】
前記板部材は、前記補強構造として、前記枠部材の延在方向とは異なる方向に伸びる第１の凸条を有する
請求項２または３記載の表示装置。
【請求項５】
前記表示体は、液晶パネルと、前記液晶パネルを照明する光源と、前記光源の近傍の放熱板とを有し、
前記放熱板は、前記補強構造を兼ねている
請求項２ないし４のいずれか１項に記載の表示装置。
【請求項６】
前記板部材は、前記枠部材の延在方向において、前記枠部材の前記板部材に対向する辺または面の形状と同じ形状を有し、
前記表示体は、前記板部材と同じ形状を有している
請求項１ないし５のいずれか１項に記載の表示装置。
【請求項７】
前記枠部材の前記板部材に対向する辺または面は、前記枠部材の延在方向において全部または一部が湾曲している
請求項６記載の表示装置。
【請求項８】
前記枠部材の前記板部材に対向する辺または面は、前記枠部材の延在方向において局所的に曲率が異なる
請求項７記載の表示装置。
【請求項９】
前記枠部材の前記板部材に対向する辺または面は、前記枠部材の延在方向において多角形の一部をなす形状を有している
請求項６記載の表示装置。
【請求項１０】
前記板部材は、互いに平行な複数の第２の凸条を有し、前記複数の第２の凸条は、前記枠部材の延在方向とは異なる方向に伸びると共に、前記枠部材の延在方向に配列されている
請求項１ないし９のいずれか１項に記載の表示装置。
【手続補正２】
【補正対象書類名】明細書
【補正対象項目名】０００９
【補正方法】変更
【補正の内容】
【０００９】
【図１】本開示の実施の形態に係る表示装置の前面側から見た外観の一例を表す斜視図である。
【図２】図１に示した表示装置の背面側から見た外観の一例を表す斜視図である。
【図３】図１に示した液晶パネルの中央部における内部構成の一例を表す断面図である。
【図４】図１に示した液晶パネルの湾曲形状の一例を表す上面図である。
【図５】図１に示した表示装置から前部外装部材および後部外装部材を取り外して、背面側から見た構成の一例を表す背面図である。
【図６】図５に示した板部材および枠部材を背面側から見た構成の一例を表す斜視図である。
【図７】枠部材，板部材および液晶パネルの形状の一例を表す上面図である。
【図８】図６に示した枠部材を前方から見た構成の一例を表す斜視図である。
【図９】図８に示した枠部材の一例を表す上面図である。
【図１０】図６に示した板部材を背面側から見た構成の一例を表す斜視図である。
【図１１】図１０に示した第２の凸条の作用を説明するための斜視図である。
【図１２】図１０に示した第１の凸条の近傍における液晶パネルの内部構成の一例を表す断面図である。
【図１３】図１に示した表示装置における表示状態の一例を模式的に表す正面図である。
【図１４】変形例１に係る枠部材，板部材および液晶パネルの形状の一例を表す上面図である。
【図１５】枠部材，板部材および液晶パネルの形状の他の例を表す上面図である。
【図１６】枠部材，板部材および液晶パネルの形状の更に他の例を表す上面図である。
【図１７】枠部材，板部材および液晶パネルの形状の更に他の例を表す上面図である。
【図１８】枠部材，板部材および液晶パネルの形状の更に他の例を表す上面図である。
【図１９】変形例２に係る表示装置の有機ＥＬパネルの中央部における内部構成の一例を表す断面図である。
【図２０】図８に示した枠部材の変形例を表す斜視図である。
【図２１】図２０に示した枠部材の一例を表す上面図である。
【手続補正３】
【補正対象書類名】明細書
【補正対象項目名】００１５
【補正方法】変更
【補正の内容】
【００１５】
前部筐体３１は、液晶パネル１１の前面周縁部を覆う枠状の金属部品である。液晶セル３２は、例えば、ガラス等の二枚の基板３２Ａ，３２Ｂの間に液晶層（図示せず）を封止した構成を有している。液晶セル３２は、例えばソースドライバ、ソース基板３２Ｄを備えている。中間筐体３３は、液晶セル３２および光学シート３４を保持する枠状の樹脂部品である。光学シート３４は、例えば、拡散板，拡散シート，レンズフィルム，偏光分離シートなどを含んでいる。導光板３５は、光源（図示せず）からの光を液晶パネル１１側へと導くものであり、例えば、ポリカーボネート樹脂（ＰＣ）またはアクリル樹脂（例えば、ＰＭＭＡ（ポリメチルメタクリレート））などの透明熱可塑性樹脂を主に含んで構成されている。反射板３６は、導光板３５の裏側へ出射してきた光を導光板３５へ向けて戻すものであり、発泡ＰＥＴ（ポリエチレンテレフタレート），銀蒸着フィルム，多層膜反射フィルム，または白色ＰＥＴなどの板状またはシート状部材である。
【手続補正４】
【補正対象書類名】明細書
【補正対象項目名】００１７
【補正方法】変更
【補正の内容】
【００１７】
図１に示した液晶パネル１１は、一次元方向（Ｘ方向）に円弧状に湾曲している。具体的には、液晶パネル１１は、例えば図４に示したように、後方（背面側）に凸に湾曲していることが望ましい。このようにすることにより、液晶パネル１１を前方正面から見たときの形状において、中央部が左右部よりもゆるやかに細くなる（図１３参照。）ので、遠近法の視覚効果により一体感・没入感を生み出すことが可能となる。
【手続補正５】
【補正対象書類名】明細書
【補正対象項目名】００４３
【補正方法】変更
【補正の内容】
【００４３】
まず、板部材４０の第１面４０Ａに枠部材５０をねじ固定する。ここで、板部材４０は可撓性を有しているので、板部材４０の形状は、枠部材５０の板部材４０に対向する辺５１Ａ，５２Ａの形状により規定される。すなわち、辺５１Ａ，５２Ａは、枠部材５０の延在方向（Ｘ方向）において円弧状に湾曲した形状を有しているので、板部材４０の形状もこれに従って円弧状に湾曲した形状となる。
【手続補正６】
【補正対象書類名】明細書
【補正対象項目名】００４５
【補正方法】変更
【補正の内容】
【００４５】
次いで、板部材４０の第２面４０Ｂにおいて、第１の凸条４１の裏側の凹部４１Ａ内に放熱板３９，光源基板３８および光源３７を配置する。また、板部材４０の第２面４０Ｂに反射板３６，導光板３５および光学シート３４を載せる。続いて、板部材４０の第２面４０Ｂの周縁部に中間筐体３３を載せ、中間筐体３３に液晶セル３２を嵌め込み、液晶セル３２の前面周縁部に前部筐体３１を取り付ける。これにより、板部材４０の第２面４０Ｂに、液晶パネル１１が形成される。
【手続補正７】
【補正対象書類名】明細書
【補正対象項目名】００６４
【補正方法】変更
【補正の内容】
【００６４】
有機ＥＬパネル８１の主要な構成要素（枠状部品および基板類を除く）は有機ＥＬセル８３のみである。有機ＥＬセル８３は、ガラスまたは樹脂よりなる薄い板状またはシート状の可撓性部材により構成されている。従って、変形例２では、液晶パネル１１を用いた上記実施の形態に比べて、有機ＥＬセル８３の可撓性が更に向上しており、上記実施の形態の効果を更に高めることが可能となっている。
【手続補正８】
【補正対象書類名】図面
【補正対象項目名】図３
【補正方法】変更
【補正の内容】
【図３】
2013257385.tif 000001
【手続補正９】
【補正対象書類名】図面
【補正対象項目名】図５
【補正方法】変更
【補正の内容】
【図５】
2013257385.tif 000002